(57)【要約】  【課題】  景品の種類や寸法に制限されることなく取付けることができる汎用性を備え、缶から取外す際には容易に取外すことができる缶容器用景品ホルダを提供すること。【解決手段】  缶容器用景品ホルダ１のホルダ本体10は矩形平板状に形成されている。該ホルダ本体10の長手方向一端には、下方に向かってホルダ係止板11が延設されており、ホルダ本体10の長手方向他端には、板状の景品取付け板12が下方に向かって延設されている。そして、前記ホルダ係止板及11及び景品取付け板12の対向面には、缶容器３の上縁部に係止される缶係止爪111、122が内方に向かって突設されている。前記缶係止爪111の形状は、缶容器の上縁部41の形状に沿った円弧状とされ、尾根状に設けられている。そして、前記景品取付け板12には、景品３を取り付けるための両面テープ２が貼付されるか、または景品３の係止穴32に挿入される景品係止フック121が立設されている。【選択図】図１
2006232344.tif 000002
【特許請求の範囲】
【請求項１】
缶容器４の上縁部41に景品３を取付ける樹脂性の缶容器用景品ホルダ１であって、
矩形平板状に形成されるホルダ本体10の長手方向一端には、ホルダ係止板11が下方に向かって延設されており、
ホルダ本体10の長手方向他端には、板状の景品取付け板12が下方に向かって延設されており、
前記ホルダ係止板及11及び景品取付け板12の対向面には、缶容器の上縁部に係止される缶係止爪111、122が内方に向かって突設されていることを特徴とする缶容器用景品ホルダ。
【請求項２】
缶容器１の上縁部41に景品３を取付ける樹脂性の缶容器用景品ホルダであって、
缶容器用景品ホルダ１には、ホルダ本体10の中心部から放射状に複数の矩形平板状の腕部13が形成されており、該腕部13の各端部には、ホルダ係止板11が下方に向かって延設されており、
前記腕部13のうち何れか一の端部には、前記ホルダ係止板11を拡張して板状とされる景品取付け板12が形成されており、
該ホルダ係止板11及び景品取付け板12の内壁面には、缶容器の上縁部41に係止される缶係止爪111、122が内方に向かって突設されていることを特徴とする缶容器用景品ホルダ。
【請求項３】
請求項１または２記載のものであって、
前記缶係止爪111が尾根状に設けられており、その形状は缶容器の上縁部41の形状に沿った円弧状とされていることを特徴とする缶容器用景品ホルダ。
【請求項４】
請求項１乃至請求項３何れか一に記載のものであって、
景品取付け板12の横幅が前記ホルダ係止板11の横幅よりも幅広とされていることを特徴とする缶容器用景品ホルダ。
【請求項５】
請求項１乃至請求項４何れか一に記載のものであって、
前記景品取付け板12には、景品３を取り付けるための両面テープ２が貼付されていることを特徴とする缶容器用景品ホルダ。
【請求項６】
請求項１乃至請求項４何れか一に記載のものであって、
前記景品取付け板12には、景品３の係止穴32に挿入される景品係止フック121が立設されていることを特徴とする缶容器用景品ホルダ。
【請求項７】
請求項１乃至請求項６何れか一に記載のものであって、
前記ホルダ係止板11及び景品取付け板12の内壁面には、缶係止爪111、122に換えて凹溝状の缶係止凹部がそれぞれ形成されていることを特徴とする缶容器用景品ホルダ。
【発明の詳細な説明】
【技術分野】
【０００１】
本発明は、飲料や食品等の缶容器に景品を取付けるための缶容器用景品ホルダの構成に関する。
【背景技術】
【０００２】
従来より、商品の販売促進を目的として缶入り商品に景品を添付して販売されることがあった。
例えば、下記特許文献には、ジュースやアルコール飲料などの缶容器の上縁部に景品が収容された円柱カップ状の缶容器用景品ホルダを取付けることにより、缶入り商品に景品を取付ける技術が開示されている。
【特許文献１】実開昭61-186555号公報
【特許文献２】実開平04-132040号公報
【発明の開示】
【発明が解決しようとする課題】
【０００３】
前記公報に開示される缶容器用景品ホルダは、キャップ状であったため、缶容器に取付けられた缶容器用景品ホルダを取外す場合においては、指を掛ける場所に乏しく掴みにくいため、取外しにくいという問題があった。
また、ホルダの形状が円柱キャップ状に形成されていたため、取付け可能な景品のサイズがキャップの大きさによって制限されてしまうという問題があった。
そのため、缶容器から缶容器用景品ホルダを取外す際には缶容器用景品ホルダを容易に指で掴むことができ、缶容器に景品を添付する際には、景品の種類や寸法に制限されることなく景品を取付けることのできる缶容器用景品ホルダが求められていた。
【課題を解決するための手段】
【０００４】
請求項１記載の発明は、
缶容器４の上縁部41に景品３を取付ける樹脂性の缶容器用景品ホルダ１であって、
矩形平板状に形成されるホルダ本体10の長手方向一端には、ホルダ係止板11が下方に向かって延設されており、
ホルダ本体10の長手方向他端には、板状の景品取付け板12が下方に向かって延設されており、
前記ホルダ係止板及11及び景品取付け板12の対向面には、缶容器の上縁部に係止される缶係止爪111、122が内方に向かって突設されていることを特徴とする。
【０００５】
請求項２記載の発明は、
缶容器１の上縁部41に景品３を取付ける樹脂性の缶容器用景品ホルダであって、
缶容器用景品ホルダ１には、ホルダ本体10の中心部から放射状に複数の矩形平板状の腕部13が形成されており、該腕部13の各端部には、ホルダ係止板11が下方に向かって延設されており、
前記腕部13のうち何れか一の端部には、前記ホルダ係止板11を拡張して板状とされる景品取付け板12が形成されており、
該ホルダ係止板11及び景品取付け板12の内壁面には、缶容器の上縁部41に係止される缶係止爪111、122が内方に向かって突設されていることを特徴とする。
【０００６】
請求項３記載の発明は、
請求項１または２記載のものであって、
前記缶係止爪111が尾根状に設けられており、その形状は缶容器の上縁部41の形状に沿った円弧状とされていることを特徴とする。
【０００７】
請求項４記載の発明は、
請求項１乃至請求項３何れか一に記載のものであって、
景品取付け板12の横幅が前記ホルダ係止板11の横幅よりも幅広とされていることを特徴とする。
【０００８】
請求項５記載の発明は、
請求項１乃至請求項４何れか一に記載のものであって、
前記景品取付け板12には、景品３を取り付けるための両面テープ２が貼付されていることを特徴とする。
【０００９】
請求項６記載の発明は、
請求項１乃至請求項４何れか一に記載のものであって、
前記景品取付け板12には、景品３の係止穴32に挿入される景品係止フック121が立設されていることを特徴とする。
【００１０】
請求項７記載の発明は、
請求項１乃至請求項６何れか一に記載のものであって、
前記ホルダ係止板11及び景品取付け板12の内壁面には、缶係止爪111、122に換えて凹溝状の缶係止凹部がそれぞれ形成されていることを特徴とする。
【発明の効果】
【００１１】
本発明は以上説明したような形態で実施され、次のような効果を有する。
【００１２】
請求項１記載の発明によれば、
景品取付け板12に景品３が取付けられるため、小さなものから大きなものまで景品の寸法に制限されることなく取付けることができる汎用性を備えた缶容器用景品ホルダを提供することが可能となる。
また、本発明に係る缶容器用景品ホルダ１のホルダ本体10形状は、全体として細長い板状に形成されるので、缶容器用景品ホルダを缶に装着すると、缶の上蓋とホルダ本体10との間に隙間が形成される。そのため、缶容器用景品ホルダ１を缶から取外す場合には、その隙間に指を掛けて容易に取外すことができる缶容器用景品ホルダを提供することが可能となる。
【００１３】
請求項２記載の発明によれば、
ホルダ本体10から放射状に形成される腕部13によって缶容器用景品ホルダ１を缶の上部に安定して取付けることのできる缶容器用景品ホルダを提供することが可能となる。
【００１４】
請求項３記載の発明によれば、尾根状且、缶容器の上縁部41の形状に沿った円弧状とされる缶係止爪111、122によって缶の上縁部41に対して確実に係合し、輸送中などに振動や衝撃が加えられた場合にも簡単には缶から外れることのない缶容器用景品ホルダ１を提供することが可能となる。
【００１５】
請求項４記載の発明によれば、
ホルダ係止板11の横幅よりも幅広とされる景品取付け板12によって、大きな景品であっても安定して保持することのできる缶容器用景品ホルダ１を提供することが可能となる。
【００１６】
請求項５記載の発明によれば、
景品取付け板12に貼付される両面テープ２によって景品を取付けることができるので、係止穴81、82が設けられた袋入りの景品に限らず紙箱入りのものや樹脂ケース入りの景品など、多様な種類の景品３を取付けて使用することのできる缶容器用景品ホルダ１を提供することが可能となる。
【００１７】
請求項６記載の発明によれば、
景品取付け板12に立設される景品係止フック123によって袋入りの景品３を景品取付け板12に取付けることができる缶容器用景品ホルダ１を提供することが可能となる。
【００１８】
請求項７記載の発明によれば、
前記ホルダ係止板11及び景品取付け板12の内壁面に缶係止爪111、122の代わりとして形成される凹溝状の缶係止凹部によって、缶容器用景品ホルダ１を缶容器４の上縁部41に対して確実に係合し、輸送中などに振動や衝撃が加えられた場合にも簡単には缶から外れることのない缶容器用景品ホルダ１を提供することが可能となる。
【発明を実施するための最良の形態】
【００１９】
本発明に係る缶容器用景品ホルダ１は缶容器４の上縁部41に景品３を取付けるために使用される樹脂性の景品ホルダであって、次のように構成される。
矩形平板状に形成されるホルダ本体10の長手方向一端には、ホルダ係止板11が下方に向かって延設されており、ホルダ本体10の長手方向他端には、板状の景品取付け板12が下方に向かって延設されている。
そして、前記ホルダ係止板及11及び景品取付け板12の対向面には、缶容器４の上縁部41に係止される缶係止爪111、122が内方に向かって突設されている。
前記缶係止爪111、122の形状は、缶容器の上縁部41の形状に沿った円弧状とされ、尾根状に設けられている。
そして、前記景品取付け板12には、景品３を取り付けるための両面テープ２が貼付されるか、景品３の係止穴32に挿入される景品係止フック121が立設されている。
【実施例】
【００２０】
以下、図面に基づいて本発明に係る実施例を詳細に説明する。
図１は、第一実施例に係る缶容器用景品ホルダの構成を示しており、
図２は、第一実施例に係る缶容器用景品ホルダの使用に関し説明している。
図１に示されるようにホルダ本体10の全体形状は、長細い矩形の平板状とされており、ホルダ本体10の長手方向一端には、ホルダ係止板11が下方に向かって延設されている。また、ホルダ本体10の長手方向他端には、板状の景品取付け板12が下方に向かって延設されている。
この景品取付け板12の横幅は、前記ホルダ係止板11の横幅よりも幅広に形成されている。
そして、前記ホルダ係止板及11及び景品取付け板12の対向面には、ホルダの使用時において缶容器の上縁部に係止される缶係止爪111、122がそれぞれ一つずつ内方へ突出するように形成されている。この缶係止爪111、122の形状は缶容器の上縁部41の形状に沿った円弧状とされ、尾根状に設けられている。
【００２１】
使用に際しては、図２に示されるように、景品取付け板12にそれよりも一回り小さな寸法の両面テープ２を貼り付けし、この両面テープ２によって景品３が貼り付けられる。
景品３が貼り付けられた缶容器用景品ホルダ１は、缶係止爪111が缶容器４の上縁部41に係合するように缶の上部から被せられ、軽く押さえて取付けられる。
【００２２】
次に、図３乃至図４を参照して、本発明に係る第二実施例を詳細に説明する。
図３は、第二実施例に係る缶容器用景品ホルダの構成を示しており、
図４は、第二実施例に係る缶容器用景品ホルダの使用に関し説明している。
ホルダ本体10の全体形状は、図３に示されるように長細い矩形の平板状に形成されており、ホルダ本体10の長手方向一端には、ホルダ係止板11が下方に向かって延設されている。また、ホルダ本体10の長手方向他端には、板状の景品取付け板12が下方に向かって延設されている。
この景品取付け板12には、先端部が略直角に屈曲される景品係止フック121が上下対称に設けられている。
そして、前記ホルダ係止板及11及び景品取付け板12の対向面には、ホルダの使用時において缶容器４の上縁部41に係止される缶係止爪111、122が内方に向かって突設されている。この缶係止爪111、122の形状は缶容器の上縁部41の形状に沿った円弧状とされ、尾根状に設けられている。
なお、この缶係止爪111、122に付いては、缶容器４の上縁部41の形状に沿った凹溝状とされる缶係止凹部によって代替することもできる。
【００２３】
使用に際しては、図４に示されるように、景品取付け板12に形成される景品係止フック121に景品３を係止させることにより、景品３が取付けられる。
そして、景品３が取付けられた缶容器用景品ホルダ１は、缶係止爪111が缶容器４の上縁部41に係合するように缶容器４の上部から被せて軽く押さえることにより、缶容器４に取付けられる。
【００２４】
次に、図５を参照して、本発明に係る第三実施例に関し、前記第二実施例との相違点のみ簡潔に説明する。
本実施例に係る缶容器用景品ホルダ１の景品取付け板12には、景品３の袋に設けられる係止穴81の寸法よりも先端部の寸法が若干太く形成される景品係止フック123が設けられている。
【００２５】
使用に際しては、図５下図に示されるように、景品３の包装袋に設けられる係止穴81を景品係止フック123に押し込むことによって、景品３が景品係止フック123に係止さる。
すると、景品３の袋に設けられる係止穴の直径よりも景品係止フック123の先端の寸法の方が太いので、景品係止フック121に対して景品３が脱落することなく取付けられる。
【００２６】
次に、図６を参照して、本発明に係る第四実施例に関し、前記第一実施例との相違点のみ簡潔に説明する。
本発明に係る缶容器用景品ホルダ１には、ホルダ係止板11の横幅と略同じ幅とされる景品取付け板12が設けられている。
景品取付け板12の寸法が大きいと、比較的小さな景品を取付ける場合には、景品の周囲からはみ出した景品取付け板12が見えてしまうので、商品の美観を損なうことになる。
そのため、比較的小さな景品を取付ける場合には、景品取付け板の寸法も小型なほうが適している。
【００２７】
次に、図７を参照して、本発明に係る第五実施例に関し、前記第一実施例との相違点のみ簡潔に説明する。
本発明に係る缶容器用景品ホルダ１の景品取付け板12には、景品挟持片124が設けられている。
この景品挟持片124はホルダ本体10と一体成型されており、景品取付け板12と景品挟持片124により形成されるクリップの間に挿入された景品３は景品挟持片124の弾性変形に伴って発生する復元力によって挟持される。
そのため、景品３の包装袋に穴を開けたり両面テープを貼り付けたりすることなく簡単に景品３を取付けることができる。
なお、この景品挟持片124に関しては、ホルダ本体10と別体に形成されるものであっても構わない。
例えば、全体として板状に形成され左右側面に一対の支持軸が設けられる景品挟持片が前記支持軸を支点として開閉自在となるように付勢バネを介して景品取付け板12に取付けられる構成とすることもできる。
また、他の方法としては、洗濯ばさみ状とされるクリップの把持部側を、直接景品取付け板12に接着したり、継手を介して直接景品取付け板12に連結したりすることによっても同様の効果を得ることができる。
【００２８】
次に、図８を参照して、本発明に係る第六実施例に関し、前記第一実施例との相違点のみ簡潔に説明する。
本発明に係る缶容器用景品ホルダ１には、ホルダ本体10から矩形平板状の腕部13が放射状に複数形成されている。
そして、この腕部13の各端部には、下方に向かって延設されるホルダ係止板11が形成されており、前記腕部13のうち一の端部には、前記ホルダ係止板11を拡張して板状とされる景品取付け板12が形成されている。
さらに、この景品取付け板12及びホルダ係止板11の内壁面には、缶容器の上縁部41に係止される缶係止爪111、122が内方に向かって突設されている。
このように、本実施例に係る缶容器用景品ホルダ１は複数の腕部13によって缶容器に取付けられるので、比較的大きい景品や重い景品であっても安定して取り付けることができる。
【００２９】
なお、本発明に係る缶容器用景品ホルダは優れた汎用性を有するものであり、前記実施例において説明される景品以外にも、多種多様な種類の景品を缶容器に取付けることができる。
図９は、その一例を示すものであり、本発明に係る缶容器用景品ホルダには図示されるようなブリスターケースやスクラッチカードの他、箱入りの景品等も取付けることができる。
【００３０】
さらに、本発明に係る缶容器用景品ホルダ１の変形例としては、図10に示すように、ホルダ係止板11にカップ状の景品収容部112を設けて、その内部に景品を収容可能とすることもできる。
図10(A)は、本実施例に係る缶容器用景品ホルダ１を斜め上方から見た状態を示しており、
図10(B)は、本実施例に係る缶容器用景品ホルダ１を斜め下方から見た状態を示しており、
図10(C)は、本実施例に係る缶容器用景品ホルダ１が缶容器４に装着された状態を示している。
図10(A)に示されるように、本実施例に係る缶容器用景品ホルダ１には、短辺がホルダ係止板11の幅と略同幅とされ、全体として略直方体形のカップ状に形成される景品収容部112がホルダ係止板11に立設されており、また、この景品収容部112の長手方向の縁部113には左右方向の縁部114よりも一段低くカットされる段差部115が形成されており、この段差部115によって、缶容器用景品ホルダ１と缶容器４との間に、３ミリ程度の隙間５が形成可能とされている(図10(C)参照)。
なお、本実施例において、景品収容部112の形状がホルダ係止板11と略同幅とされ、全体として略直方体形のカップ状に形成されているのは、缶容器４から缶容器用景品ホルダ１を取外す際に缶容器用景品ホルダ１を指で掴みやすくするためであり、隙間５が形成されるのは、缶容器用景品ホルダ１を缶容器４から取外す場合にこの隙間５に指を掛けて缶容器用景品ホルダ１を取外しやすくするためである。
【産業上の利用可能性】
【００３１】
本発明によれば、缶容器から取外す際には容易に取外すことができ、缶容器に景品を添付する場合には景品の種類や寸法に制限されることなく多種多様な取付けることができる汎用性を備えた缶容器用景品ホルダを提供することができる。
【図面の簡単な説明】
【００３２】
【図１】第一実施例に係る缶容器用景品ホルダの構成を示す図である。
【図２】第一実施例に係る缶容器用景品ホルダの使用に関し説明する図である。
【図３】第二実施例に係る缶容器用景品ホルダの構成を示す図である。
【図４】第二実施例に係る缶容器用景品ホルダの使用に関し説明する図である。
【図５】第三実施例に係る缶容器用景品ホルダの構成及び使用に関し説明する図である。
【図６】第四実施例に係る缶容器用景品ホルダの構成及び使用に関し説明する図である。
【図７】第五実施例に係る缶容器用景品ホルダの構成及び使用に関し説明する図である。
【図８】第六実施例に係る缶容器用景品ホルダの構成及び使用に関し説明する図である。
【図９】本発明に係る缶容器用景品ホルダに使用される他の景品を示す図である。
【図１０】本発明に係る缶容器用景品ホルダの他の構成を示す図である。
【符号の説明】
【００３３】
１    缶容器用景品ホルダ
10    ホルダ本体
２    両面テープ
３    景品
４    缶容器
11    ホルダ係止板
12    景品取付け板
13    腕部
31    係止穴
32    係止穴
41    上縁部
81    係止穴
111   缶係止爪
121   景品係止フック
123   景品係止フック
124   景品係止クリップ
【図１】
2006232344.tif 000003
【図２】
2006232344.tif 000004
【図３】
2006232344.tif 000005
【図４】
2006232344.tif 000006
【図５】
2006232344.tif 000007
【図６】
2006232344.tif 000008
【図７】
2006232344.tif 000009
【図８】
2006232344.tif 000010
【図９】
2006232344.tif 000011
【図１０】
2006232344.tif 000012